(57)【要約】【課題】  ジョブ中の画像調整を実行するタイミングを最適にスケジューリングすることにより、複数部数の同じ頁の印刷結果の差をなくすことができる。さらに、高精度な安定したトナーの補給が行なえ、現像剤のトナー濃度を常に初期設定値の許容範囲内に確実におさめることができ、常時高画質の安定した画像を得る。【解決手段】  画像入力時において、画像データをＨＤＤなどの記憶装置に入力する際に画像濃度の検出としてビデオカウントを行い、各ページごとのビデオカウント値を画像データに対応付けて記憶し、記憶したビデオカウント値を検索してトナー補給条件やプロセス条件の変更を最適に行うスケジューリングをし、画像形成時にスケジューリングに従ってトナー補給条件やプロセス条件の変更を行う。【選択図】  図１
2007129653.tif 000002
【特許請求の範囲】
【請求項１】
画像入力手段と画像形成手段とを有する画像形成装置において、
画像入力手段により入力した複数の画像を記憶する画像記憶手段と、
入力した複数の画像の画像濃度を検出する手段と、
前記複数の画像濃度を記憶する手段と、
形成する画像の画像調整を行う手段と、
を有し、前記記憶した複数の画像濃度を検索して画像調整を実行するタイミングをスケジューリングし、スケジューリングした結果に基づいて画像調整を実行することを特徴とした画像形成装置。
【請求項２】
トナーを補給する手段を有し、前記画像調整を行う手段が、トナー濃度を制御することにより画像を調整することを特徴とした請求項１に記載の画像形成装置。
【請求項３】
画像形成条件を変更する手段と、画像形成中の画像状態を検出する手段を有し、前記画像調整を行う手段が、検出した画像状態に応じて前記画像形成条件を変更することにより画像を調整することを特徴とした請求項１に記載の画像形成装置。
【請求項４】
前記画像濃度を検出する手段がビデオカウントであることを特徴とした請求項１に記載の画像形成装置。
【発明の詳細な説明】
【技術分野】
【０００１】
本発明は、電子写真方式や静電記録方式等を採用した画像形成装置において、印刷ジョブ中に安定した画質を保つための画像調整を行う画像形成装置及びその制御方法に関するものである。
【背景技術】
【０００２】
従来、画像形成装置において画像形成枚数により、画像形成条件が変化して画像品質が変化する現象は、特にカラー機の画像形成で顕著で、さらに調整において、画像形成のメカニズムにより長期間隔の調整項目と、短期間隔の調整項目の２種類に分かれるのが、一般的である。長期においては、画像処理の５万枚から１０万枚程度の間隔で行い、現像材の特性劣化を補正する必要がある。短期においては、１００枚から５００枚程度で行い、画像内容により使用されるシアン、マゼンタ、イエローとブラックのそれぞれのトナー特性が、印刷される画像により各色の使用比率が変化するために、各色の現像器機内のそれぞれのトナー、キャリアーの比率が変化し、これが最終的に形成画像の色味の変化となる。これを、補正するために、ドラムにトナーを載せてそのトナーの光学的反射量を測定して補正するという、一般的なパッチ検による調整が行われている。（特許文献１参照）この画像調整の間隔は、事前に決定されている規定枚数毎に画像調整動作を行なうスケジュール、または、電源投入後、画像形成を開始する前に必ず画像調整動作を行なうスケジュールで行う。
【０００３】
それに加え、従来の画像形成装置では、プリントしながら該当するページのビデオカウントを行い、そのカウント値にしたがって現像器へのトナーの補給をするものがある（特許文献２参照）
【特許文献１】特開２００３−３４１０３０号公報
【特許文献２】特開平５−３２３７９１号公報
【発明の開示】
【発明が解決しようとする課題】
【０００４】
しかしながら、従来の画像形成装置の調整スケジュールでは、複数部の印刷を行った場合に、規定枚数毎に調整が入るため複数部数の同じ頁の印刷結果に差が発生するという問題点を有する。さらには、濃度の大きいページの画像形成が続いた後の画像は、現像機内のトナー濃度が低くなって所望の画像濃度が得られなかったり、ページごとに濃度が大きく変化することが続くと現像器内のトナー濃度を一定に保つことが容易ではないという問題点がある。
【０００５】
本発明は、上記問題点を解決するためになされたもので、その目的とするところは、画像入力時において、画像データをＨＤＤなどの記憶装置に入力する際に画像濃度の検出としてビデオカウントを行い、各ページごとのビデオカウント値を記憶し、記憶したビデオカウント値を検索してトナー補給条件やプロセス条件の変更を最適に行うスケジューリングをし、画像形成時にスケジューリングに従ってトナー補給条件やプロセス条件の変更を行うことである。
【課題を解決するための手段】
【０００６】
本発明は、画像入力手段と画像形成手段とを有する画像形成装置において、画像入力手段により入力した複数の画像を記憶する画像記憶手段と、入力した複数の画像の画像濃度を検出する手段と、前記複数の画像濃度を記憶する手段と、形成する画像の画像調整を行う手段と、を有し、前記記憶した複数の画像濃度を検索して画像調整を実行するタイミングをスケジューリングし、スケジューリングした結果に基づいて画像調整を実行することを特徴とするものである。
【０００７】
また、本発明の画像形成装置は、トナーを補給する手段を有し、前記画像調整を行う手段が、トナー濃度を制御することにより画像を調整することを特徴とするものである。
【０００８】
また、本発明の画像形成装置は、画像形成条件を変更する手段と、画像形成中の画像状態を検出する手段を有し、前記画像調整を行う手段が、検出した画像状態に応じて前記画像形成条件を変更することにより画像を調整することを特徴とするものである。
【０００９】
また、本発明の画像形成装置は、前記画像濃度を検出する手段がビデオカウントであることを特徴とするものである。
【発明の効果】
【００１０】
以上、説明したように本発明の画像形成装置は、画像調整を実行するタイミングを最適にスケジューリングすることにより、複数部数の同じ頁の印刷結果の差をなくすことができる。
【００１１】
さらに、高精度な安定したトナーの補給が行なえ、現像剤のトナー濃度を常に初期設定値の許容範囲内に確実におさめることができ、常時高画質の濃度の安定した画像を得ることができるという顕著な効果がある。
【発明を実施するための最良の形態】
【００１２】
図２は、本発明に係る画像形成装置の一例であるフルカラー複写機の概略構成を示す縦断面図である。
【００１３】
同図中、２００は、デジタルカラー画像リーダ部（以下、リーダ部と記述する）であり、該デジタルカラー画像リーダ部の下部にデジタルカラー画像プリンタ部（以下、プリンタ部と記述する）２０１を有している。
【００１４】
リーダ部２００において、原稿を原稿台ガラス２１１上に載置し、光学系読み取り駆動モータ２１２により露光ランプ２１３、２１４を含む原稿走査ユニット２１５を予め設定された一定の速度で露光走査する。そして、原稿からの反射光像を、レンズ２１６によりフルカラーセンサ（ＣＣＤ）２１７に集光し、カラー色分解画像信号を得る。このフルカラーセンサ２１７としては、互いに隣接して配置されたＲ（レッド）、Ｇ（グリーン）、Ｂ（ブルー）のフィルタを付けた３ラインのＣＣＤを用いている。前記カラー色分解画像信号は、画像処理部２１８にて画像処理が施された後、プリンタ部２０１に送出される。
【００１５】
なお、原稿台ガラス２１１の周辺には操作部が設けてあり、複写シーケンスに関する各種モード設定を行うスイッチ及び表示用のデスプレイ及び表示器が配置されている。
【００１６】
次にプリンタ部２０１について説明する。
【００１７】
プリンタ部２０１において、制御部５９はコントローラ部で、ＣＰＵ，ＲＡＭ，ＲＯＭ等を備えるコントローラボードから構成されており、ＲＯＭに記憶される制御プログラムに基づき、給紙部、中間転写部、搬送部、定着ユニット、操作部の動作を総括的に制御している。
【００１８】
画像形成部は次に述べるような構成になっている。像担持体としての感光ドラム１１ａ、１１ｂ、１１ｃ、１１ｄがその中心で軸支され、矢印方向に不図示の駆動モータによって回転駆動される。感光ドラム１１ａ〜１１ｄの外周面に対向してその回転方向にローラ帯電器１２ａ、１２ｂ、１２ｃ、１２ｄ、スキャナー１３ａ、１３ｂ、１３ｃ、１３ｄ、現像装置１４ａ、１４ｂ、１４ｃ、１４ｄ、感光ドラムクリーニング装置１５ａ、１５ｂ、１５ｃ、１５ｄが配置されている。ローラ帯電器１２ａ〜１２ｄにおいて感光ドラム１１ａ〜１１ｄの表面に均一な帯電量の電荷を与える。
【００１９】
次いで、スキャナー１３ａ〜１３ｄにより、記録画像信号に応じて変調した、例えばレーザビームなどの光線を感光ドラム１１ａ〜１１ｄ上に露光させることによって、そこに静電潜像を形成する。さらに、ブラック、シアン、マゼンタ、イエローといった４色の現像剤（トナー）をそれぞれ収納した現像装置１４ａ〜１４ｄによって上記静電潜像を顕像化する。顕像化された可視画像を中間転写体３０に転写する。その後感光ドラム１１ａ〜１１ｄ上に残った残留トナーは、感光ドラムクリーニング装置１５ａ〜１５ｄによって回収される。以上に示したプロセスにより、各トナーによる画像形成が順次行われる。
【００２０】
また、濃度測定機構１６ａ〜１６ｄは、ドラム１１ａ〜１１ｄの表面に形成したトナー画像の濃度を検出することができる。
【００２１】
次に、給紙部は、記録材Ｐを収納する部分と、記録材Ｐを搬送するためのローラ、記録材Ｐの通過を検知するためのセンサ、記録材Ｐの有無を検知するためのセンサ、記録材Ｐを搬送路に沿って搬送させるためのガイド（不図示）から構成される。
【００２２】
２１ａ、２１ｂ、２１ｃ、２１ｄはカセット、２７は手差しトレイ、２８はデッキであり、記録材Ｐを収納する。２２ａ、２２ｂ、２２ｃ、２２ｄは、カセット２１ａ〜２１ｄから記録材Ｐを上から一枚ずつ送り出すためのピックアップローラである。
【００２３】
ピックアップローラ２２ａ〜２２ｄでは、複数枚の記録材Ｐが送り出されることがあるが、ＢＣローラ２３ａ、２３ｂ、２３ｃ、２３ｄによって確実に一枚だけ分離される。ＢＣローラ２３ａ〜２３ｄによって一枚だけ分離された記録材Ｐは、さらに引き抜きローラ２４ａ〜２４ｄ、レジ前ローラ２６によって搬送され、レジストローラ２５まで搬送される。
【００２４】
また、手差しトレイ２７に収納された記録材Ｐは、ＢＣローラ２９によって一枚分離され、レジ前ローラ２６によってレジストローラ２５まで搬送される。また、デッキ２８に収納された記録材Ｐは、ピックアップローラ６０によって給紙ローラ６１まで複数枚搬送され、給紙ローラ６１によって一枚だけ確実に分離され、引き抜きローラ６２まで搬送される。さらに記録材Ｐはレジ前ローラ２６によってレジストローラ２５まで搬送される。
【００２５】
次に、中間転写ユニットについて詳細に説明する。
【００２６】
３０は中間転写ベルトであり、その材料としては、ＰＩやＰＶｄＦ等から成る基層上にウレタンゴムやシリコンゴムやＣＲゴム等からなる導電弾性層を形成し、その表面は、フッ素樹脂やＦＫＭ等からなる表面層を形成している。３２は前記中間転写ベルト３０に駆動を伝達する駆動ローラであり、ばね（不図示）の付勢によって中間転写ベルト３０に適度な張力を与えるテンションローラ３３、中間転写ベルトを挟んで二次転写領域を形成する従動ローラ３４によって支持されている。
【００２７】
駆動ローラ３２はステッピングモータ（不図示）によって回転駆動される。各感光ドラム１１ａ〜１１ｄと、中間転写ベルト３０をはさんで対向する位置の、中間転写ベルト３０の裏には、トナー像を中間転写ベルト３０に転写するための高圧を印可する一次転写ローラ３５ａ〜３５ｄが配置されている。従動ローラ３４に対向して二次転写ローラ３６が配置され、中間転写ベルト３０とのニップによって二次転写領域を形成する。二次転写ローラ３６は中間転写ベルトに対して適度な圧力で加圧されている。
【００２８】
また、中間転写ベルト３０上、二次転写領域の下流には中間転写ベルト３０の画像形成面をクリーニングするためのクリーニング装置５０が配され、前記クリーニング装置５０は、導電性ファーブラシ５１とファーブラシにバイアスを印加するためのバイアスローラ（不図示）および廃トナーを収納する廃トナーボックス５２から成る。
【００２９】
定着ユニット４０は、内部にハロゲンヒーターなどの熱源を備えた定着ローラ４１ａとそのローラに加圧される４１ｂ（このローラにも熱源を備える場合もある）、上記ローラ対から排出されてきた記録材Ｐを搬送する内排紙ローラ４４から成る。
【００３０】
一方、レジストローラ２５まで搬送された記録材Ｐは、レジストローラ２５よりも上流のローラの回転駆動を止めて一旦停止させ、画像形成部の画像形成タイミングに合わせてレジストローラ２５を含む上流のローラの回転駆動が再開される。記録材Ｐは後述の二次転写領域へ送り出される。
【００３１】
二次転写領域において画像が転写され、定着ユニット４０において画像が定着された記録材Ｐは、内排紙ローラ４４を通過した後、切り替えフラッパー７３によって、搬送先が切り替えられる。切り替えフラッパー７３がフェイスアップ排紙側にある場合は、記録材Ｐは外排紙ローラ４５によってフェイスアップ排紙トレイ２に排出される。
【００３２】
一方、切り替えフラッパー７３がフェイスダウン排紙側にある場合は、記録材Ｐは反転ローラ７２ａ、７２ｂ、７２ｃの方向へ搬送され、フェイスダウン排紙トレイ３へ排出される。
【００３３】
なお、記録材Ｐの搬送路には、記録材Ｐの通過を検知するために複数のセンサが配置されており、給紙リトライセンサ６４ａ、６４ｂ、６４ｃ、６４ｄ、デッキ給紙センサ６５、デッキ引き抜きセンサ６６、レジストセンサ６７、内排紙センサ６８、フェイスダウン排紙センサ６９、両面プレレジセンサ７０、両面再給紙センサ７１等がある。
【００３４】
また、記録材Ｐを収納するカセット２１ａ〜２１ｄには、記録材Ｐの有無を検知するカセット紙ありなしセンサ６３ａ、６３ｂ、６３ｃ、６３ｄが配置され、手差しトレイ２７には手差しトレイ２７上の記録材Ｐの有無を検知する手差しトレイ紙ありなしセンサ７６が配置され、デッキ２８にはデッキ２８内の記録材Ｐの有無を検知するデッキ紙ありなしセンサ７５が配置されている。
【００３５】
次に装置の動作に即して説明を加える。一例として、カセット２１ａから記録材Ｐを搬送する場合を説明する。
【００３６】
ジョブ開始から所定時間経過後、まずピックアップローラ２２ａにより、カセット２１ａから転写材Ｐが一枚ずつ送り出される。そして給紙ローラ２３によって転写材Ｐが引き抜きローラ２４ａ、レジ前ローラ２６を経由して、レジストローラ２５まで搬送される。その時レジストローラ２５は停止されており、紙先端はニップ部に突き当たる。
【００３７】
その後、画像形成部が画像の形成を開始するタイミングに合わせてレジストローラ２５は回転を始める。この回転時期は、転写材Ｐと画像形成部より中間転写ベルト上に一次転写されたトナー画像とが二次転写領域においてちょうど一致するようにそのタイミングが設定されている。
【００３８】
一方、画像形成部では、画像形成動作開始信号が発せられると、前述したプロセスにより中間転写ベルト３０の回転方向において一番上流にある感光ドラム１１ｄ上に形成されたトナー画像が、高電圧が印加された転写ローラ３５ｄによって一次転写領域において中間転写ベルト３０に一次転写される。一次転写されたトナー像は次の一次転写領域まで搬送される。
【００３９】
ここでは各画像形成部間をトナー像が搬送される時間だけ遅延して画像形成が行われており、前画像の上に画像先端を合わせて次のトナー像が転写される事になる。以下も同様の工程が繰り返され、結局４色のトナー像が中間転写ベルト３０上において一次転写される。
【００４０】
その後記録材Ｐが二次転写領域に進入、中間転写ベルト３０に接触すると、記録材Ｐの通過タイミングに合わせて二次転写ローラ３６に、高電圧が印加される。そして前述したプロセスにより中間転写ベルト上に形成された４色のトナー画像が記録材Ｐの表面に転写される。その後記録材Ｐは定着ローラニップ部まで案内される。そしてローラ対４１ａ、４１ｂの熱及びニップの圧力によってトナー画像が紙表面に定着される。その後、切り替えフラッパーの切り替え方向に応じて、フェイスアップ排紙トレイ２またはフェイスダウントレイ３に排出される。
【００４１】
図５は制御部５９の制御ブロック図である。
【００４２】
ＣＰＵ５０１はフルカラー複写機の基本制御を行う。ＣＰＵ５０１には制御プログラムが書き込まれたＲＯＭ５０２及び処理を行うためのワークＲＡＭ５０３がアドレスバス及びデータバスを介して接続されている。ＲＯＭ５０２には、後述する図１に示す制御手順等が記憶されているものとする。リーダー制御部５０６とプリンタ制御部５０７は、それぞれリーダ部、プリンタ部の各構成部品を制御するための入出力ポート等を含む電気回路である。制御ＣＰＵ５０１は制御プログラムの内容に従って、リーダー制御部５０６とプリンタ制御部５０７を制御し画像形成動作を実行する。
【００４３】
画像処理部５０５は、リーダー制御部５０６によって変換された原稿画像のデジタルデータに対して各種画像処理を行う。
【００４４】
また、ＣＰＵ５０１には操作部６００が接続されている。図６（ａ）に操作部６００の詳細を示す。
【００４５】
６００１はタッチパネルディスプレイであり、図６（ｂ）のように通常はコピー枚数、選択用紙サイズ、倍率、コピー濃度が表示されている。６００２はリセットキーでありコピーモードを標準モードに戻す。６００３はスタートキーでありコピー動作を開始する。６００４はストップキーでありコピー動作を中断する。６００５はクリアキーでありコピーモードを標準モードに戻す。６００６はテンキーでありコピー枚数を設定する。６００７はカラーモード選択キーであり、原稿がカラーであるか白黒であるかを自動的に判別してカラーの場合はカラーで出力し白黒の場合は白黒で出力するＡＣＳキーと、原稿に関係なくカラー出力するＣｏｌｏｒキーと、原稿に関係なく白黒出力するＢｌａｃｋキーがあり、いずれか一つのキーが点灯している。
【００４６】
図３は、図５の画像処理部５０５の内部構成を示すブロック図である。
【００４７】
ＣＣＤセンサ２１７に結像された原稿画像は、ＣＣＤセンサ２１７によりアナログ電気信号に変換される。変換された画像情報は、アナログ信号処理部３００に入力されてサンプル＆ホールド、ダークレベルの補正等が行われた後、Ａ／Ｄ・ＳＨ処理部３０１でアナログ・デジタル変換（Ａ／Ｄ変換）され、更に、デジタル化された信号に対してシェーディング補正が行われる。シェーディング補正では、ＣＣＤセンサ２１７が持つ画素ごとのばらつきに対する補正、及び原稿照明ランプの配光特性に基づく位置による光量のばらつきに対する補正を行う。
【００４８】
その後、ＲＧＢライン間補正部３０２においてＲＧＢライン間補正を行う。ある時点でＣＣＤセンサ２１７のＲＧＢ各受光部に入力した光は、原稿上ではＲＧＢ各受光部の位置関係に応じてずれているために、ここでＲＧＢ信号間の同期をとる。
【００４９】
その後、入力マスキング部３０３で入力マスキング処理を行い、輝度データから濃度データへの変換を行う。ＣＣＤセンサ２１７から出力されたままのＲＧＢ値はＣＣＤセンサ２１７に取り付けられた色フィルタの影響を受けているため、その影響を補正して純粋なＲＧＢ値に変換する。
【００５０】
その後、画像は変倍部３０４において所望の変倍率で変倍処理され、変倍された画像データは、ビデオカウント部３０５に送られ各色画像毎にデータのカウントが行われる共に、そのカウント値もＨＤＤ３０６に保存する。
【００５１】
最後に画像データはＨＤＤ３０６からγ補正部３０７に送られる。γ補正部３０７では、操作部６００で設定された濃度値に応じた出力にするために、プリンタの特性を考慮したルックアップテーブル（ＬＵＴ）に基づいて、元の濃度データから所望の出力濃度対応した濃度データに変換する。
【００５２】
図４にビデオ信号カウント部３０５の詳細を示す。ビデオ信号カウント部３０５では、各色について図４の構成でカウントを行う。
【００５３】
４００は変倍部３０４から送られてくる１画素８ｂｉｔの多値画像信号であり、連続して送られてくる１色の１画像分の画像信号について、それを４０ｂｉｔ加算器４０１によって全部加算し、１画像分のビデオカウント４０２を４０ｂｉｔデータとして得る。
【００５４】
次に、本発明の特徴部分である、画像情報の操作方法について図１を用いて詳細に説明する。
【００５５】
まずプリントジョブがスタートした後、ステップＳ１で画像を入力する。本実施例ではリーダ部２００によるスキャンが対応する。続いてステップＳ２でビデオカウントを計算する。ステップＳ２では、図３で示すフローに従って画像信号を処理し図４の構成で１画像分の画像信号を各色毎にカウントする。次に、ステップＳ３ではステップＳ１で入力した画像データとステップＳ２で求めたビデオカウント値を対応付けてＨＤＤ３０６に記憶する。
【００５６】
本実施例は複写機を用いた原稿スキャンによって入力した画像入力について説明したが、ＰＣ等から送られてきたＰＤＬなどでも等しく適応できることは言うまでもない。
【００５７】
ここでＨＤＤ３０６に記憶するデータのデータ構造を図７を用いて説明する。
【００５８】
ＩＤ７０１は画像を識別するための番号を表している。色７０２はＩＤ７０１に対応する画像の色情報を表す。本実施例ではブラック、シアン、マゼンタ、イエローのいずれかが格納される。ビデオカウント７０３はステップＳ２で求めた値が格納される。画像調整フラグ７０４は、値として１か０が格納され、１の場合にはこれに対応する画像ＩＤの画像形成前に画像調整が行われる。画像調整フラグ７０４については、ステップＳ５で後述する。画像データ７０５は画像データが格納される。これら７０１〜７０５の領域は、ジョブ開始時にクリアされ、ジョブの進行と共に書き込まれる。
【００５９】
次に、ステップＳ４では全原稿のスキャンが終了したかを判断する。全原稿が終了していなければステップＳ１へ移行し、全原稿のスキャンが終了している場合はステップＳ５に移行する。
【００６０】
次に、ステップＳ５では、ステップＳ３で記憶したデータを検索して画像調整を行うタイミングのスケジューリングを決定する。本実施例では、図７の７０２に格納された色毎に、ＩＤ７０１の順に対応するビデオカウントデータ７０３を調べ、ビデオカウントデータが大きく変化する部分を検索する。そして変化量が所定の閾値Ｔよりも大きくなったＩＤ７０１に対応する画像調整フラグ７０４の値を１とする。
【００６１】
例を図８を用いて説明する。図８はある一つの色についての縦軸ビデオカウント値、横軸画像ＩＤのグラフである。画像ＩＤがｎのときのビデオカウント値をＶnとしたとき、｜Ｖn−Ｖn+1｜≧Ｔとなるｎがあれば画像ＩＤがｎ＋１の画像調整フラグを１にするので、ｎ＝１から順番に見ていくと、｜Ｖ1−Ｖ2｜と｜Ｖ2−Ｖ3｜は閾値Ｔよりも小さいが、ｎ＝３のときは｜Ｖ3−Ｖ4｜≧Ｔとなっているので画像ＩＤが（３＋１＝）４の画像調整フラグを１とする。
【００６２】
ステップＳ６では画像形成を行うために、プリンタ部の動作を開始する。ステップＳ７では、次に画像形成を行うＩＤ７０１に対応する画像調整フラグ７０４の値を調べ、値が１であれば、ステップＳ８へ移行し画像調整を行う。
【００６３】
ステップＳ８の画像調整では、所定の濃度の調整用パッチ画像をドラム上に形成し、その画像に対して光学的反射量を測定し、その測定データを基に図３γ補正部３０７のＬＵＴに補正をかける。そして、ステップＳ９で、変更したγＬＵＴを通した画像データで画像形成を行う。
【００６４】
ステップＳ７で、次に画像形成を行うＩＤ７０１に対応する画像調整フラグ７０４の値が０の場合はステップＳ９へ移行して画像形成を行う。
【００６５】
ステップＳ１０では、全部の画像形成が終了したかを判断し、終了していなければステップＳ７へ移行して全ページの画像形成が終了するまで処理を繰り返す。
【００６６】
これにより、複数部数の画像形成において、同じページの前に画像調整が入り、複数部数の同じ頁の印刷結果の差をなくすことが可能となる。
【００６７】
また、本実施例では、ビデオカウントデータ７０３の変化量を調べ変化量が所定の閾値Ｔより大きくなるところで画像調整フラグ７０４に１を格納し、画像形成時にγＬＵＴに補正をかけ画像形成条件を変えたが、その他の実施例として、濃い画像が連続して現像器内のトナー濃度が低くなることを検知するためにビデオカウントデータ７０３について所定値Ｍ以上の画像がＮ枚続いた場合に、そのＮ枚目の画像調整フラグ７０４に１を格納し、画像形成の際に補給量に補正をかける。Ｎは１枚の画像形成中に補給できるトナー量と現像器の容量およびセンサの位置などによって決まる値である。
【００６８】
例を図９を用いて説明する。図９はある一つの色についての縦軸ビデオカウント値、横軸画像ＩＤのグラフである。画像ＩＤがｎのときのビデオカウント値をＶnとしたとき、Ｖn+1≧ＭかつＶ≧Ｍかつ・・・かつＶn+N-1≧Ｍとなるｎがあれば画像ＩＤがｎ＋Ｎ−１の画像調整フラグを１にするので、Ｎ＝３としてｎ＝１から順番に見ていくと、Ｖ1≧ＭだがＶ2＜Ｍなので条件と合致しない。次にｎ＝３の場合を見るとＶ3≧ＭかつＶ4≧ＭかつＶ5≧Ｍとなっているので画像ＩＤが（３＋３−１＝）５の画像調整フラグを１とする。そして、画像形成時に画像調整フラグ７０４が１の画像があればトナーの補給量に補正をかける。
【００６９】
これにより、高濃度の画像形成が続いた時も現像器内のトナー濃度を安定に保つことが可能となる。
【図面の簡単な説明】
【００７０】
【図１】本発明の実施例における画像情報記憶時のフローチャート。
【図２】本発明の実施例における画像形成装置の断面図。
【図３】本発明の実施例における画像処理部のブロック図。
【図４】本発明の実施例におけるビデオカウント部のブロック図。
【図５】本発明の実施例における画像形成装置の制御ブロック図。
【図６】本発明の実施例における画像形成装置の操作部の説明図。
【図７】本発明の実施例における情報記憶装置のデータ構造図。
【図８】本発明の実施例におけるビデオカウントの変化量Ｔで画像調整フラグをセットするというサンプル図。
【図９】本発明の実施例におけるビデオカウントが一定量Ｍを超えてＮ枚連続していたら画像調整フラグをセットするというサンプル図。
【図１】
2007129653.tif 000003
【図２】
2007129653.tif 000004
【図３】
2007129653.tif 000005
【図４】
2007129653.tif 000006
【図５】
2007129653.tif 000007
【図６】
2007129653.tif 000008
【図７】
2007129653.tif 000009
【図８】
2007129653.tif 000010
【図９】
2007129653.tif 000011